(57)【要約】【課題】略長方形状に形成されるカードをその短手方向に搬送して処理するカードリーダにおいて、カードの挿入口が形成されるカード挿入部の内部に塵埃や水等が溜まるのを抑制することが可能なカードリーダを提供する。【解決手段】このカードリーダでは、カード２の挿入口３が形成されるカード挿入部４は、挿入口３の奥側に配置される第１シャッタ部材１４と、第１シャッタ部材１４を駆動するシャッタ駆動機構と、第１シャッタ部材１４よりも挿入口３側に配置される第２シャッタ部材１５と、搬送路５を閉鎖する閉鎖位置に向かって第２シャッタ部材１５を付勢する付勢部材とを備えている。第２シャッタ部材１５は、挿入口３から挿入されたカード２が接触すると、搬送路５を開放する開放位置へ移動する。【選択図】図７
2014071606.tif 000002
【特許請求の範囲】
【請求項１】
略長方形状に形成されるカードを前記カードの短手方向に搬送して処理するカードリーダにおいて、
前記カードの挿入口が形成されるカード挿入部を備えるとともに、前記挿入口に繋がる前記カードの搬送路が形成され、
前記カード挿入部は、前記カードの取込方向における前記挿入口の奥側に配置され前記搬送路を閉鎖する第１閉鎖位置と前記搬送路を開放する第１開放位置との間で移動可能な第１シャッタ部材と、前記第１閉鎖位置と前記第１開放位置との間で前記第１シャッタ部材を駆動するシャッタ駆動機構と、前記第１シャッタ部材よりも前記挿入口側に配置され前記搬送路を閉鎖する第２閉鎖位置と前記搬送路を開放する第２開放位置との間で移動可能な第２シャッタ部材と、前記第２閉鎖位置に向かって前記第２シャッタ部材を付勢する付勢部材とを備え、
前記第２シャッタ部材は、前記挿入口から挿入された前記カードが接触すると、前記第２開放位置へ移動することを特徴とするカードリーダ。
【請求項２】
前記第２シャッタ部材は、前記カードの搬送方向に直交する前記搬送路の幅方向を回転の軸方向として回転可能なローラであることを特徴とする請求項１記載のカードリーダ。
【請求項３】
前記カード挿入部は、前記第２閉鎖位置にあるときの前記第２シャッタ部材が当接する当接部材を備え、
前記当接部材は、前記カードの搬送方向と前記カードの搬送方向に直交する前記搬送路の幅方向とに直交する前記カードの厚さ方向における前記搬送路の一方側に配置され、
前記第２シャッタ部材は、前記第２開放位置にあるときに前記カードの厚さ方向における前記搬送路の他方側に退避しており、前記付勢部材によって前記当接部材に向かって付勢されていることを特徴とする請求項１または２記載のカードリーダ。
【請求項４】
前記当接部材は、前記搬送路の上側に配置され、
前記第２シャッタ部材は、前記第２開放位置にあるときに前記搬送路の下側に退避しており、
前記カード挿入部の、前記第２シャッタ部材の下側には、前記カードリーダの外部へ通じる開口部が形成されていることを特徴とする請求項３記載のカードリーダ。
【請求項５】
前記カード挿入部は、前記第２シャッタ部材が前記第２開放位置へ移動したことを検知するシャッタ部材センサを備えることを特徴とする請求項１から４のいずれかに記載のカードリーダ。
【請求項６】
前記第２シャッタ部材は、前記カードの長手方向が前記カードの搬送方向と一致するように前記カードが前記挿入口から挿入された場合に、前記カードの搬送方向に直交する前記搬送路の幅方向におけるどの位置で前記カードが挿入されても、挿入された前記カードが接触する位置に配置されていることを特徴とする請求項５記載のカードリーダ。
【請求項７】
前記カードの搬送方向に直交する前記搬送路の幅方向における前記第２シャッタ部材の幅は、前記カードの長手方向が前記カードの搬送方向と一致するように前記カードが前記挿入口から挿入された場合に、前記搬送路の幅方向におけるどの位置で前記カードが挿入されても、挿入された前記カードが前記第２シャッタ部材に接触するように設定されていることを特徴とする請求項５または６記載のカードリーダ。
【請求項８】
前記シャッタ駆動機構は、前記シャッタ部材センサでの検知結果に基づいて前記第１シャッタ部材を駆動することを特徴とする請求項５から７のいずれかに記載のカードリーダ。
【請求項９】
前記カード挿入部は、前記第１シャッタ部材に取り付けられ前記第１シャッタ部材から前記挿入口側へ突出する突出部材を備え、
前記突出部材の前記挿入口側には、前記カードが当接するカード当接面が形成され、
前記カードの搬送方向における前記挿入口と前記カード当接面との距離は、前記カードの短手方向の幅よりも短くなっていることを特徴とする請求項１から８のいずれかに記載のカードリーダ。
【発明の詳細な説明】
【技術分野】
【０００１】
本発明は、略長方形状に形成されるカードをその短手方向に搬送して処理するカードリーダに関する。
【背景技術】
【０００２】
従来、磁気媒体に形成された磁気ストライプからの磁気データの読取と磁気ストライプへの磁気データの書込とを行う磁気ヘッド移動型の磁気ストライプ読取・書込装置が知られている（たとえば、特許文献１参照）。特許文献１に記載の磁気ストライプ読取・書込装置で処理される磁気媒体では、磁気媒体の搬送方向に対して直交する方向に磁気ストライプが形成されている。この磁気ストライプ読取・書込装置は、磁気ストライプが形成された方向へ磁気ヘッドを移動させるスライド機構と、磁気ヘッドの移動方向に直交する方向へ磁気媒体を搬送する搬送ローラとを備えている。
【０００３】
また、従来、カードに記録された磁気データの読取やカードへの磁気データの書込を行うカードリーダが知られている（たとえば、特許文献２参照）。特許文献２に記載のカードリーダは、カードの搬送機構や磁気ヘッドを有するカード処理部と、カードの挿入口が形成されるカード挿入部とを備えている。挿入口の奥側には、カードが搬送されるカード搬送路が形成されている。カード挿入部は、挿入口からカードが挿入されたか否かを検知するためのカード挿入検知機構と、カード搬送路を開閉するシャッタ部材とを備えている。シャッタ部材は、カード搬送路の幅方向におけるカード搬送路の全域でカード搬送路を閉鎖することが可能となっている。また、カード挿入部は、カードに磁気データが記録されているか否かを検知するためのプリヘッド（磁気ヘッド）と、カードにＩＣチップが内蔵されているか否かを検知するための金属センサとを備えている。
【０００４】
特許文献２に記載のカードリーダでは、カードの搬送方向において、挿入口とシャッタ部材との間に、カード挿入検知機構とプリヘッドと金属センサとが配置されている。このカードリーダでは、カードが挿入される前の待機状態においては、シャッタ部材がカード搬送路を閉鎖している。また、このカードリーダでは、カード挿入検知機構、プリヘッドおよび金属センサの検知結果に基づいて、正規のカードが挿入口から挿入されたことが検知されると、シャッタ部材がカード搬送路を開放する。
【０００５】
なお、磁気ストライプを有するカードの形状は、国際規格やＪＩＳ規格によって規定されており、四隅に丸みを持った略長方形状となっている。また、磁気ストライプは、略長方形状に形成されるカードの長手方向に平行な帯状に形成されている。特許文献２に記載のカードリーダでは、国際規格やＪＩＳ規格に準拠した磁気ストライプ付きのカードが処理されており、カードはその長手方向に搬送されている。
【先行技術文献】
【特許文献】
【０００６】
【特許文献１】特開平９−１２８８７２号公報
【特許文献２】特開２０１０−１６０６６６号公報
【発明の概要】
【発明が解決しようとする課題】
【０００７】
特許文献１に記載の磁気ストライプ読取・書込装置のように、磁気ストライプの方向と直交する方向に磁気媒体を搬送する装置で、国際規格やＪＩＳ規格に準拠した磁気ストライプ付きのカードが処理される場合、カードは、その短手方向に搬送される。カードが短手方向に搬送される装置においても、正規のカード以外のカードが装置内に取り込まれるのを防止したり、いたずら等を防止したりするためにシャッタ部材がカード挿入部に配置されていることが好ましい。
【０００８】
一方、カードがその短手方向に搬送される装置の場合、カードがその長手方向に搬送される装置と比較して、カードを搬送する搬送ローラを挿入口により近い位置に配置しなければ、挿入口に挿入されたカードを取り込んだり、挿入口からカードを排出したりすることができない。そのため、挿入口とシャッタ部材との間に搬送ローラを配置せざるを得ない場合が生じうるが、挿入口とシャッタ部材との間に搬送ローラが配置されると、挿入口とシャッタ部材との距離が長くなる。挿入口とシャッタ部材との距離が長くなると、挿入口から入り込んだ塵埃や水等がカード挿入部に溜まって、挿入口から挿入されたカードの処理に支障を来す場合が生じうる。
【０００９】
そこで、本発明の課題は、略長方形状に形成されるカードをその短手方向に搬送して処理するカードリーダにおいて、カードの挿入口が形成されるカード挿入部の内部に塵埃や水等が溜まるのを抑制することが可能なカードリーダを提供することにある。
【課題を解決するための手段】
【００１０】
上記の課題を解決するため、本発明のカードリーダは、略長方形状に形成されるカードをカードの短手方向に搬送して処理するカードリーダにおいて、カードの挿入口が形成されるカード挿入部を備えるとともに、挿入口に繋がるカードの搬送路が形成され、カード挿入部は、カードの取込方向における挿入口の奥側に配置され搬送路を閉鎖する第１閉鎖位置と搬送路を開放する第１開放位置との間で移動可能な第１シャッタ部材と、第１閉鎖位置と第１開放位置との間で第１シャッタ部材を駆動するシャッタ駆動機構と、第１シャッタ部材よりも挿入口側に配置され搬送路を閉鎖する第２閉鎖位置と搬送路を開放する第２開放位置との間で移動可能な第２シャッタ部材と、第２閉鎖位置に向かって第２シャッタ部材を付勢する付勢部材とを備え、第２シャッタ部材は、挿入口から挿入されたカードが接触すると、第２開放位置へ移動することを特徴とする。
【００１１】
本発明のカードリーダでは、搬送路を閉鎖する第１閉鎖位置と搬送路を開放する第１開放位置との間で移動可能な第１シャッタ部材が挿入口の奥側に配置され、この第１シャッタ部材にシャッタ駆動機構が連結されている。そのため、本発明では、正規のカードが正しい姿勢で挿入口から挿入された場合に、シャッタ駆動機構で第１シャッタ部材を駆動して、第１開放位置へ第１シャッタ部材を移動させることが可能になる。したがって、本発明では、正規のカード以外のカードや誤った姿勢で挿入されたカードがカードリーダ内へ取り込まれるのを防止したり、いたずら等を防止したりすることが可能になる。
【００１２】
また、本発明では、搬送路を閉鎖する第２閉鎖位置と搬送路を開放する第２開放位置との間で移動可能な第２シャッタ部材が第１シャッタ部材よりも挿入口側に配置されている。この第２シャッタ部材は、付勢部材によって第２閉鎖位置に向かって付勢されており、挿入口から挿入されたカードが接触すると、第２開放位置へ移動する。すなわち、第２シャッタ部材は、カードが挿入されていないときには、付勢部材の付勢力で常時、搬送路を閉鎖している。そのため、本発明では、第１シャッタ部材と挿入口との距離が長くなっていても、第１シャッタ部材よりも挿入口側に配置される第２シャッタ部材によって、挿入口からカード挿入部の内部へ塵埃や水等が入り込むのを抑制することが可能になる。したがって、本発明では、カード挿入部の内部に塵埃や水等が溜まるのを抑制することが可能になる。また、本発明では、第２シャッタ部材は、付勢部材によって第２閉鎖位置に向かって付勢され、挿入口から挿入されたカードが接触すると、第２開放位置へ移動するため、第２シャッタ部材を駆動するための駆動機構を設ける必要がない。したがって、本発明では、カードリーダの構成を簡素化することが可能になる。
【００１３】
本発明において、第２シャッタ部材は、カードの搬送方向に直交する搬送路の幅方向を回転の軸方向として回転可能なローラであることが好ましい。このように構成すると、第２シャッタ部材とカードとの接触時に、第２シャッタ部材であるローラを回転させることが可能になる。したがって、第２シャッタ部材とカードとが接触しているときのカードの搬送抵抗を低減することが可能になる。
【００１４】
本発明において、たとえば、カード挿入部は、第２閉鎖位置にあるときの第２シャッタ部材が当接する当接部材を備え、当接部材は、カードの搬送方向とカードの搬送方向に直交する搬送路の幅方向とに直交するカードの厚さ方向における搬送路の一方側に配置され、第２シャッタ部材は、第２開放位置にあるときにカードの厚さ方向における搬送路の他方側に退避しており、付勢部材によって当接部材に向かって付勢されている。この場合には、カードの厚さ方向における搬送路の両側に第２シャッタ部材が配置されている場合と比較して、カードリーダの構成を簡素化することが可能になる。
【００１５】
本発明において、当接部材は、搬送路の上側に配置され、第２シャッタ部材は、第２開放位置にあるときに搬送路の下側に退避しており、カード挿入部の、第２シャッタ部材の下側には、カードリーダの外部へ通じる開口部が形成されていることが好ましい。このように構成すると、第２シャッタ部材によってカード挿入部の内部への侵入を遮られた塵埃や水等を開口部からカード挿入部の外部へ排出することが可能になる。したがって、カード挿入部の内部に塵埃や水等が溜まるのを効果的に抑制することが可能になる。
【００１６】
本発明において、カード挿入部は、第２シャッタ部材が第２開放位置へ移動したことを検知するシャッタ部材センサを備えることが好ましい。このように構成すると、第２シャッタ部材とシャッタ部材センサとを用いて、挿入口からカードが挿入されたことを検知することが可能になる。
【００１７】
本発明において、第２シャッタ部材は、カードの長手方向がカードの搬送方向と一致するようにカードが挿入口から挿入された場合に、カードの搬送方向に直交する搬送路の幅方向におけるどの位置でカードが挿入されても、挿入されたカードが接触する位置に配置されていることが好ましい。また、本発明において、カードの搬送方向に直交する搬送路の幅方向における第２シャッタ部材の幅は、カードの長手方向がカードの搬送方向と一致するようにカードが挿入口から挿入された場合に、搬送路の幅方向におけるどの位置でカードが挿入されても、挿入されたカードが第２シャッタ部材に接触するように設定されていることが好ましい。このように構成すると、カードの短手方向がカードの搬送方向と一致するようにカードが挿入口から挿入された場合のみならず、カードの長手方向がカードの搬送方向と一致するようにカードが挿入口から挿入された場合にも、第２シャッタ部材とシャッタ部材センサとを用いて、挿入口からカードが挿入されたことを検知することが可能になる。
【００１８】
本発明において、たとえば、シャッタ駆動機構は、シャッタ部材センサでの検知結果に基づいて第１シャッタ部材を駆動する。
【００１９】
本発明において、カード挿入部は、第１シャッタ部材に取り付けられ第１シャッタ部材から挿入口側へ突出する突出部材を備え、突出部材の挿入口側には、カードが当接するカード当接面が形成され、カードの搬送方向における挿入口とカード当接面との距離は、カードの短手方向の幅よりも短くなっていることが好ましい。このように構成すると、第１シャッタ部材と挿入口との距離が長くなっていても、第１シャッタ部材が搬送路を閉鎖している状態で、たとえば、想定外の速さでカードが無理やり差し込まれたときに、カード当接面にカードを当接させるとともに、カード当接面に当接しているカードの端部をユーザが掴むことが可能なように、挿入口からカードを突出させることが可能になる。したがって、カードの搬送方向における挿入口とシャッタ部材との距離を確保しつつ、シャッタ部材が搬送路を閉鎖している状態でカードが無理やり差し込まれてもカードの端部をユーザが掴むことが可能になる。
【発明の効果】
【００２０】
以上のように、本発明では、略長方形状に形成されるカードをその短手方向に搬送して処理するカードリーダにおいて、カードの挿入口が形成されるカード挿入部の内部に塵埃や水等が溜まるのを抑制することが可能になる。
【図面の簡単な説明】
【００２１】
【図１】本発明の実施の形態にかかるカードリーダの斜視図である。
【図２】図１に示すカードリーダの概略構成を側面から説明するための図である。
【図３】図１に示すカードの平面図である。
【図４】図２に示すヘッド移動機構の構成を上面から説明するための図である。
【図５】図２に示すヘッド移動機構の構成を正面から説明するための図である。
【図６】図２に示すＩＣ接点ブロックを駆動する接点ブロック駆動機構を正面から説明するための図である。
【図７】図２に示すシャッタ部材が搬送路を閉鎖している状態を側面から説明するための図である。
【図８】図７に示すシャッタ部材が搬送路を開放している状態を側面から説明するための図である。
【図９】図２に示すシャッタ部材を駆動するシャッタ駆動機構を正面から説明するための図である。
【図１０】図２に示すカード挿入部の前端側の構成を側面から説明するための図である。
【図１１】図２に示すカード挿入部の構成を上面から説明するための図である。
【図１２】図２に示すカード挿入部の前端側の構成を正面から説明するための図である。
【図１３】図１２に示す磁気センサと挿入口から挿入されたカードとの上下方向の位置関係を正面から説明するための図である。
【発明を実施するための形態】
【００２２】
以下、図面を参照しながら、本発明の実施の形態を説明する。
【００２３】
（カードリーダの全体構成）
図１は、本発明の実施の形態にかかるカードリーダ１の斜視図である。図２は、図１に示すカードリーダ１の概略構成を側面から説明するための図である。図３は、図１に示すカード２の平面図である。図４は、図２に示すヘッド移動機構８の構成を上面から説明するための図である。図５は、図２に示すヘッド移動機構８の構成を正面から説明するための図である。図６は、図２に示すＩＣ接点ブロック９を駆動する接点ブロック駆動機構１０を正面から説明するための図である。
【００２４】
本形態のカードリーダ１は、カード２に記録された磁気データの読取およびカード２への磁気データの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入される挿入口３が形成されるカード挿入部４を備えている。図２に示すように、カードリーダ１の内部には、挿入口３に繋がるカードの搬送路５が形成されている。
【００２５】
また、カードリーダ１は、カード２を搬送するカード搬送機構６と、カード２に当接してカード２に記録された磁気データの読取やカード２への磁気データの記録を行う磁気ヘッド７と、カード２の搬送方向に直交する方向へ磁気ヘッド７を移動させるヘッド移動機構８と、カード２に形成される後述の端子部２ｂに接触してデータの通信を行うためのＩＣ接点ブロック９と、ＩＣ接点ブロック９を駆動する接点ブロック駆動機構１０と、カードリーダ１内に取り込まれたカード２を位置決めするための位置決め機構１１とを備えている。
【００２６】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプ２ａが形成されている。また、カード２は、接触式のＩＣカードである。すなわち、カード２には、ＩＣチップ（図示省略）が内蔵され、カード２のおもて面には、８個の外部接続端子からなる端子部２ｂが形成されている。カード２の一部は、エンボス加工が施されるエンボス加工領域２ｃとなっている。すなわち、カード２には、エンボス加工が施されるエンボス加工領域２ｃが画定されている。
【００２７】
磁気ストライプ２ａは、略長方形状に形成されるカード２の長手方向（図３のＵ方向）に平行な細長い帯状に形成されている。この磁気ストライプ２ａは、カード２の長手方向の全域に形成されている。また、磁気ストライプ２ａは、カード２の短手方向（図３のＶ方向）において、カード２の短手方向における一端２ｄ側に形成されている。具体的には、国際規格やＪＩＳ規格に基づいて、磁気ストライプ２ａは、カード２の短手方向において、カード２の一端２ｄを基準とする所定の範囲内に形成されている。
【００２８】
端子部２ｂは、カード２の長手方向における一端側、かつ、カード２の短手方向における略中間位置に形成されている。端子部２ｂを構成する８個の外部接続端子は、カード２の短手方向において４行、かつ、カード２の長手方向において２列に配列されている。エンボス加工領域２ｃは、カード２の短手方向における他端２ｅ側に配置されている。また、カード２の長手方向における両端側を除く所定の範囲がエンボス加工領域２ｃとなっている。エンボス加工領域２ｃにエンボス加工されて形成される文字や数字等は、おもて面側に突出している。
【００２９】
本形態では、図１等に示すＸ方向でカード２が搬送される。具体的には、Ｘ１方向にカード２が取り込まれ、Ｘ２方向にカード２が排出される。すなわち、Ｘ方向は、カード２の搬送方向であり、Ｘ１方向は、カード２の取込方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向でカード２を搬送して所定の処理を行う。
【００３０】
また、Ｘ方向に直交するＹ方向は、搬送路５の幅方向であり、カードリーダ１内に正しい姿勢で取り込まれたカード２の長手方向である。また、Ｘ方向とＹ方向とに直交する図１等のＺ方向は、カードリーダ１内に取り込まれたカード２の厚さ方向である。本形態では、Ｚ方向と鉛直方向とが一致するようにカードリーダ１が配置されている。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００３１】
カード挿入部４は、カードリーダ１の前面側部分を構成している。このカード挿入部４は、挿入口３の奥側に配置される第１シャッタ部材としてのシャッタ部材１４と、前後方向における挿入口３とシャッタ部材１４との間に配置される第２シャッタ部材としてのシャッタ部材１５と、カード２の短手方向が前後方向と一致するようにカードリーダ１にカード２が挿入されたこと（すなわち、挿入口３にカード２が挿入されたこと）を検知する挿入検知機構１６と、カード２に磁気データが記録されていることを検知する磁気センサ１７、１８と、カード２にＩＣチップの外部接続端子が固定されていること（すなわち、端子部２ｂが固定されていること）を検知する金属センサ１９と、カードリーダ１の前方の人間の動きを検知する人体検知用の赤外線センサ２０と、これらの構成が収容されるケース体２１とを備えている。カード挿入部４の具体的な構成については後述する。
【００３２】
搬送路５は、前後方向におけるカードリーダ１の略全域に形成されている。カード搬送機構６は、カード２の上面に当接してカード２を搬送する搬送ローラ３１〜３３と、下側から搬送ローラ３１〜３３に対向配置されるパッドローラ３４〜３６とを備えている。搬送ローラ３１は、カード挿入部４の内部に配置されている。具体的には、搬送ローラ３１は、前後方向において、カード挿入部４の奥端側に配置されるシャッタ部材１４よりも前側に配置されている。搬送ローラ３２、３３は、カード挿入部４の奥側に配置されるカードリーダ１の本体部３７の内部に配置されている。具体的には、搬送ローラ３２は、前後方向において、磁気ヘッド７およびＩＣ接点ブロック９よりも前側に配置されるとともにシャッタ部材１４よりも奥側に配置されている。また、搬送ローラ３３は、位置決め機構１１を構成する後述の位置決め部材６６の当接部６６ａよりも奥側に配置されている。搬送ローラ３１〜３３は、搬送路５の左右の両端側のそれぞれに配置されている。搬送ローラ３１〜３３には、ベルト、プーリおよび歯車列等によって構成される動力伝達機構３８を介してモータ３９が連結されている。
【００３３】
パッドローラ３４は、搬送ローラ３１に向かって付勢されており、下側からカード２に当接可能となっている。パッドローラ３５は、搬送ローラ３２に向かって付勢されており、下側からカード２に当接可能となっている。パッドローラ３６は、搬送ローラ３３に向かって付勢されており、下側からカード２に当接可能となっている。上述のように、搬送ローラ３１〜３３は、搬送路５の左右の両端側のそれぞれに配置されており、カード２の長手方向における両端側の上面に搬送ローラ３１〜３３が当接し、カード２の長手方向における両端側の下面にパッドローラ３４〜３６が当接する。具体的には、搬送ローラ３１〜３３およびパッドローラ３４〜３６は、カード２の長手方向における両端側であって、かつ、エンボス加工領域２ｃを避けた部分に当接する。なお、搬送ローラ３１〜３３がカード２の下面に当接し、パッドローラ３４〜３６が上側から搬送ローラ３１〜３３に対向配置されても良い。
【００３４】
磁気ヘッド７は、前後方向において、搬送ローラ３２およびパッドローラ３５と、搬送ローラ３３およびパッドローラ３６との間に配置されている。ヘッド移動機構８は、磁気ヘッド７が搭載されるキャリッジ４２と、左右方向へキャリッジ４２を案内するガイド軸４３と、キャリッジ４２を左右方向へ送るリードスクリュー４４と、磁気ヘッド７を上下動させるためのカム板４５と、ガイド軸４３を中心とするキャリッジ４２の回動を防止するための回動防止軸４６とを備えている。キャリッジ４２は、キャリッジ本体４７と、磁気ヘッド７を保持するヘッド保持部材４８とを備えている。キャリッジ本体４７には、リードスクリュー４４に係合するメネジ部材４９と、ガイド軸４３に係合する摺動軸受５０と、回動防止軸４６に係合する摺動部材５１とが取り付けられている。リードスクリュー４４には、プーリおよびベルトから構成される動力伝達機構５２を介してモータ５３が連結されている。
【００３５】
キャリッジ本体４７には、ヘッド保持部材４８を回動可能に保持する固定軸５４が左右方向を軸方向として固定されている。キャリッジ本体４７とヘッド保持部材４８との間には、ネジリコイルバネ５５が配置されており、ヘッド保持部材４８は、ネジリコイルバネ５５の付勢力によって、固定軸５４を中心にして、磁気ヘッド７が上昇する方向へ付勢されている。カム板４５は、左右方向に細長い長尺状に形成されており、ヘッド保持部材４８には、左右方向におけるカム板４５の両端側に形成されるカム４５ａに当接するローラ５６が回転可能に取り付けられている。
【００３６】
本形態では、モータ５３が駆動して、リードスクリュー４４が回転すると、ガイド軸４３に沿って、磁気ヘッド７がキャリッジ４２とともに左右方向へ移動する。左右方向における両端側では、カム４５ａにローラ５６が当接しており、図５の二点鎖線で示すように、磁気ヘッド７は、ネジリコイルバネ５５の付勢力に抗して搬送路５よりも下側へ退避している。一方、磁気ヘッド７がキャリッジ４２とともに左右方向へ移動して、カム４５ａからローラ５６が外れると、カム４５ａによって搬送路５よりも下側に退避するように案内されていた磁気ヘッド７がネジリコイルバネ５５の付勢力で上昇して、カード２の磁気ストライプ２ａに当接可能になる。磁気ヘッド７が磁気ストライプ２ａに当接しながら、キャリッジ４２が左右方向へ移動することで、磁気ヘッド７によって磁気データの読取や記録が行われる。なお、磁気ヘッド７は、所定のケーブルを介して、カードリーダ１の制御基板に接続されている。
【００３７】
ＩＣ接点ブロック９は、図６に示すように、カード２の端子部２ｂを構成する外部接続端子のそれぞれに接触するＩＣ接点バネ５９と、ＩＣ接点バネ５９を保持するバネ保持部材６０と、ＩＣ接点バネ５９が接続される基板６１とを備えている。基板６１は、バネ保持部材６０に固定されている。ＩＣ接点ブロック９は、前後方向において、搬送ローラ３２およびパッドローラ３５と磁気ヘッド７との間に配置されている。また、ＩＣ接点ブロック９は、左右方向において、搬送路５の左端側に配置されるとともに、搬送路５の上側に配置されている。
【００３８】
接点ブロック駆動機構１０は、ＩＣ接点ブロック９が固定されるブロック保持部材６２とソレノイド６３とを備えている。ブロック保持部材６２は、前後方向を軸方向として本体部３７のフレームに固定される固定軸６４に回動可能に保持されている。ソレノイド６３のプランジャ６３ａには、固定ピン６５が固定されている。固定ピン６５は、ブロック保持部材６２に形成される係合溝６２ａに係合している。ソレノイド６３は、プランジャ６３ａが左右方向へ移動するように配置されている。ソレノイド６３の本体６３ｂとプランジャ６３ａとの間には、図示を省略する圧縮コイルバネが配置されており、この圧縮コイルバネの付勢力でプランジャ６３ａは、本体６３ｂから突出する方向に付勢されている。
【００３９】
この圧縮コイルバネの付勢力でプランジャ６３ａが本体６３ｂから突出しているときには、図６（Ａ）に示すように、ＩＣ接点ブロック９が搬送路５の上側へ退避している。この状態で、ソレノイド６３が駆動すると、圧縮コイルバネの付勢力に抗して、プランジャ６３ａが本体６３ｂ側に引き込まれて、図６（Ｂ）に示すように、ＩＣ接点ブロック９が下降する。ＩＣ接点ブロック９が下降すると、ＩＣ接点バネ５９が端子部２ｂを構成する外部接続端子に接触可能となる。
【００４０】
位置決め機構１１は、カードリーダ１内に取り込まれたカード２の奥端が当接する当接部６６ａが形成された位置決め部材６６と、搬送路５から当接部６６ａを退避させる退避機構（図示省略）とを備えている。当接部６６ａは、前後方向において、磁気ヘッド７よりも奥側に配置されている。また、当接部６６ａは、前後方向において、搬送ローラ３３およびパッドローラ３６よりも前側に配置されている。退避機構は、所定のリンク機構や駆動源等を備えており、カード２の奥端が当接部６６ａに当接可能な当接位置と、当接部６６ａが搬送路５から退避して搬送ローラ３３およびパッドローラ３６に向かってカード２が通過可能な退避位置との間で、位置決め部材６６を移動させる。本形態では、位置決め部材６６は、通常、当接位置にあり、所定の処理を行う場合に、退避位置へ移動する。
【００４１】
（カード挿入部の構成）
図７は、図２に示すシャッタ部材１４、１５が搬送路５を閉鎖している状態を側面から説明するための図である。図８は、図７に示すシャッタ部材１４、１５が搬送路５を開放している状態を側面から説明するための図である。図９は、図２に示すシャッタ部材１４を駆動するシャッタ駆動機構７０を正面から説明するための図である。図１０は、図２に示すカード挿入部４の前端側の構成を側面から説明するための図である。図１１は、図２に示すカード挿入部４の構成を上面から説明するための図である。図１２は、図２に示すカード挿入部４の前端側の構成を正面から説明するための図である。図１３は、図１２に示す磁気センサ１７、１８と挿入口３から挿入されたカード２との上下方向の位置関係を正面から説明するための図である。
【００４２】
上述のように、カード挿入部４は、シャッタ部材１４、１５と挿入検知機構１６と磁気センサ１７、１８と金属センサ１９と赤外線センサ２０とケース体２１とを備えている。
【００４３】
シャッタ部材１４は、カード挿入部４の奥端に配置されている。このシャッタ部材１４は、搬送路５を閉鎖する第１閉鎖位置（図７に示す位置）と、搬送路５を開放する第１開放位置（図８に示す）との間で移動可能となっている。第１閉鎖位置で搬送路５を閉鎖するシャッタ部材１４の閉鎖部１４ａは、左右方向に細長い略長方形の平板状に形成されている。閉鎖部１４ａの左右方向の幅は、搬送路５の左右方向の幅よりも広くなっている。すなわち、第１閉鎖位置にあるシャッタ部材１４は、左右方向における搬送路５の全域で搬送路５を閉鎖している。シャッタ部材１４は、第１閉鎖位置と第１開放位置との間でシャッタ部材１４を駆動するシャッタ駆動機構７０に連結されている（図９参照）。
【００４４】
シャッタ駆動機構７０は、２個の第１リンク部材７２と、第２リンク部材７３と、ソレノイド７４とを備えている。第１リンク部材７２は、前後方向を軸方向として固定される固定軸７５に回動可能に保持されるとともに、シャッタ部材１４の下端側に回動可能に連結されている。第２リンク部材７３は、前後方向を軸方向として固定される２本の固定軸７６によって左右方向へスライド可能に保持されている。第２リンク部材７３には、前後方向を軸方向として２本の固定ピン７７が固定されている。固定ピン７７は、第１リンク部材７２の下端側に形成される係合凹部７２ａに係合している。また、第２リンク部材７３には、ソレノイド７４のプランジャ７４ａに固定される固定ピン７８が係合している。ソレノイド７４は、プランジャ７４ａが左右方向へ移動するように配置されている。ソレノイド７４の本体７４ｂとプランジャ７４ａとの間には、図示を省略する圧縮コイルバネが配置されており、この圧縮コイルバネの付勢力でプランジャ７４ａは、本体７４ｂから突出する方向に付勢されている。
【００４５】
図９に示すように、この圧縮コイルバネの付勢力でプランジャ７４ａが本体７４ｂから突出しているときには、シャッタ部材１４は、図７に示すように第１閉鎖位置にあり、搬送路５を閉鎖している。この状態で、ソレノイド７４が駆動すると、圧縮コイルバネの付勢力に抗して、プランジャ７４ａが本体７４ｂ側に引き込まれ、第２リンク部材７３が左側へスライドするとともに第１リンク部材７２が回動して、シャッタ部材１４が下降する。シャッタ部材１４が下降して、搬送路５の下側へ退避すると、シャッタ部材１４は、図８に示すように第１開放位置にあり、搬送路５を開放している。このように、第１開放位置にあるシャッタ部材１４は、搬送路５の下側へ退避しており、第１開放位置にあるシャッタ部材１４が上昇すると、シャッタ部材１４が第１閉鎖位置へ移動する。なお、シャッタ部材１４は、モータ等の他の駆動源の動力によって、第１閉鎖位置と第１開放位置との間を移動しても良い。すなわち、シャッタ駆動機構７０は、モータ等によって構成されても良い。
【００４６】
シャッタ部材１４には、閉鎖部１４ａの前面から前側へ突出する突出部材８０が取り付けられている。本形態では、図１１に示すように、左右方向に所定の間隔をあけた状態で２個の突出部材８０が閉鎖部１４ａに固定されている。具体的には、閉鎖部１４ａの左右両端側のそれぞれに突出部材８０が固定されている。突出部材８０は、閉鎖部１４ａに固定される平板状の被固定部８０ａと、被固定部８０ａから前側へ突出する平板状の突出部８０ｂとから構成されている。突出部８０ｂの前端面は、シャッタ部材１４が閉鎖位置にあるときに、たとえば、想定外の速さで挿入口３から無理やり差し込まれたカード２の奥端が当接するカード当接面８０ｃとなっている。
【００４７】
前後方向におけるカード当接面８０ｃと挿入口３との距離Ｌ１（図７参照）は、カード２の短手方向の幅Ｗ１よりも短くなっている。本形態では、カード２の短手方向と前後方向とが一致するように挿入口３に挿入されたカード２の奥端がカード当接面８０ｃに当接しているときに、挿入口３から突出するカード２の前端側をユーザが掴むことが可能なように距離Ｌ１が設定されている。たとえば、距離Ｌ１は、幅Ｗ１よりも１０〜１５ｍｍ程度短く設定されている。なお、本形態では、前後方向における閉鎖部１４ａの前面と挿入口３との距離Ｌ２（図７参照）は幅Ｗ１よりもわずかに短くなっているが、距離Ｌ２は、幅Ｗ１と同じであっても良いし、幅Ｗ１より長くても良い。
【００４８】
シャッタ部材１５は、シャッタ部材１４よりも前側に配置されている。具体的には、シャッタ部材１５は、搬送ローラ３１およびパッドローラ３４よりも前側に配置されている。本形態のシャッタ部材１５は、左右方向を回転の軸方向として回転可能なローラである。このシャッタ部材１５は、左右方向を軸方向として配置される軸８１に回転可能に保持されている。軸８１は、軸保持部材８２の上端側に固定されている。軸保持部材８２は、左右方向を軸方向としてカード挿入部４のフレームに固定される固定軸８３に回動可能に保持されている。軸８１、軸保持部材８２および固定軸８３は、搬送路５の下側に配置されている。なお、本形態のシャッタ部材１５は、左右方向に３分割される３個のローラによって構成されている。３個のローラは、左右方向で互いに接触するように軸８１に保持されている。
【００４９】
シャッタ部材１５は、固定軸８３を中心に軸保持部材８２と一緒に回動可能となっている。具体的には、シャッタ部材１５は、搬送路５に配置されて搬送路５を閉鎖する第２閉鎖位置（図７に示す位置）と、搬送路５の下側に退避して搬送路５を開放する第２開放位置（図８に示す位置）との間で移動可能となっている。すなわち、シャッタ部材１５は、搬送路５に出没可能となっている。軸保持部材８２は、図示を省略するバネ（たとえば、ネジリコイルバネや引張りコイルバネ）等の付勢部材によって、シャッタ部材１５が上昇する方向に付勢されている。すなわち、シャッタ部材１５は、付勢部材によって第２閉鎖位置に向かって付勢されている。シャッタ部材１５の上側には、第２閉鎖位置に向かって付勢されるシャッタ部材１５の上端が当接する当接部材８４が配置されており、第２閉鎖位置にあるときのシャッタ部材１５の上端は、当接部材８４の下面に当接している。当接部材８４は、カード挿入部４のフレームに固定されており、搬送路５の上側に配置されている。
【００５０】
カードリーダ１にカード２が挿入される前の待機時には、シャッタ部材１５は、軸保持部材８２を付勢する付勢部材の付勢力で第２閉鎖位置に向かって付勢されており、搬送路５を閉鎖する第２閉鎖位置にある。この状態で、挿入口３から挿入されたカード２がシャッタ部材１５に接触すると、シャッタ部材１５は、付勢部材の付勢力に抗して下側へ退避して第２開放位置へ移動する。すなわち、シャッタ部材１５は、第２開放位置にあるときに搬送路５の下側に退避している。第２開放位置にあるシャッタ部材１５の上端は、カード２のおもて面または裏面に接触している。なお、第２閉鎖位置にあるシャッタ部材１５では、シャッタ部材１５の、軸８１よりも上側の部分が搬送路５を閉鎖している。
【００５１】
シャッタ部材１５は、カード２の長手方向が前後方向と一致するようにカード２が挿入口３から挿入された場合に、左右方向のどの位置でカード２が挿入されても、挿入されたカード２が接触する位置に配置されている（図１１参照）。また、シャッタ部材１５の幅（左右方向の幅）は、カード２の長手方向が前後方向と一致するようにカード２が挿入口３から挿入された場合に、左右方向のどの位置でカード２が挿入されても、挿入されたカード２がシャッタ部材１５に接触するように設定されている。そのため、カード２の短手方向と前後方向とが一致するようにカード２が挿入口３から挿入された場合だけでなく、カード２の長手方向と前後方向とが一致するようにカード２が挿入口３から挿入された場合であっても、第２閉鎖位置にあるシャッタ部材１５は、第２開放位置へ移動する。なお、本形態では、シャッタ部材１５の幅（左右方向の幅）は、搬送路５の幅（左右方向の幅）よりも狭くなっているが、シャッタ部材１５の幅は、搬送路５の幅と同じであっても良いし、搬送路５の幅より広くても良い。
【００５２】
また、カード挿入部４は、シャッタ部材１５が第２開放位置へ移動したことを検知するためのシャッタ部材センサとしてのセンサ８５を備えている。すなわち、カード挿入部４は、搬送路５へのシャッタ部材１５の出没状態を検知するためのセンサ８５を備えている。センサ８５は、発光素子とこの発光素子からの光を受光する受光素子とを備える透過型の光学式センサである。軸保持部材８２には、センサ８５の発光素子と受光素子との間を遮る遮光部８２ａが形成されている。
【００５３】
シャッタ部材１５が第２閉鎖位置にあるときには、図７に示すように、遮光部８２ａは、センサ８５の発光素子と受光素子との間から外れている。一方、シャッタ部材１５が第２開放位置にあるときには、図８に示すように、遮光部８２ａは、センサ８５の発光素子と受光素子との間を遮っている。そのため、センサ８５の発光素子から受光素子へ向かう光が遮光部８２ａによって遮られることで、挿入口３からカード２が挿入されて、シャッタ部材１５が第２開放位置に移動したことが検知される。
【００５４】
挿入検知機構１６は、シャッタ部材１４よりも前側に配置されている。具体的には、挿入検知機構１６は、前後方向において、シャッタ部材１５と略同じ位置に配置されている。より具体的には、前後方向において、後述のカード接触部８８ａがシャッタ部材１５と略同じ位置に配置されている。この挿入検知機構１６は、カード挿入部４の左右の両端側に配置され搬送路５に出没可能な２個の検知レバー８８と、２個の検知レバー８８のそれぞれの動きを検知する（すなわち、検知レバー８８の搬送路５への出没状態を検知する）２個のセンサ８９とを備えている。センサ８９は、発光素子とこの発光素子からの光を受光する受光素子とを備える透過型の光学式センサである。
【００５５】
検知レバー８８は、搬送路５の左右両端側で搬送路５に出没してカード２の左右方向の両端のそれぞれに接触可能なカード接触部８８ａと、センサ８９の発光素子と受光素子との間を遮るための遮光部８８ｂとを備えている。カード接触部８８ａの上側は、前後方向を軸方向としてカード挿入部４のフレームに固定される固定軸９０（図１２参照）に回動可能に保持されている。また、検知レバー８８は、図示を省略するバネ等の付勢部材によって、カード接触部８８ａが左右方向の内側へ移動するように付勢されている。
【００５６】
カードリーダ１にカード２が挿入される前の待機時には、この付勢部材の付勢力によって、カード接触部８８ａは、搬送路５内に配置されている。このときには、図１２（Ａ）に示すように、センサ８９の発光素子と受光素子との間を遮光部８８ｂが遮っている。この状態で、カード２の短手方向が前後方向と一致するようにカード２が挿入口３から挿入されると、２個の検知レバー８８のそれぞれに、カード２の左右両端のそれぞれが接触して、固定軸９０を中心に検知レバー８８が回動する。検知レバー８８が回動すると、図１２（Ｂ）に示すように、センサ８９の発光素子と受光素子との間から遮光部８８ｂが外れる。
【００５７】
そのため、２個のセンサ８９において発光素子からの光を受光素子が受光することで、カード２の短手方向が前後方向と一致するようにカード２が挿入口３から挿入されたことが検知される。なお、カード２の長手方向が前後方向と一致するようにカード２が挿入口３から挿入されると、２個の検知レバー８８のうちの一方の検知レバー８８のみが回動して他方の検知レバー８８が回動しないか、あるいは、２個の検知レバー８８の両方が回動しない。そのため、カード２の長手方向が前後方向と一致するようにカード２が挿入口３から挿入されると、２個のセンサ８９のうちの一方のセンサ８９においてのみ発光素子からの光を受光素子が受光するか、あるいは、２個のセンサ８９の両方において発光素子からの光を受光素子が受光しない。
【００５８】
磁気センサ１７、１８は、励磁コイルと、検出コイルと、励磁コイルおよび検出コイルが巻回されるコアとを備えるフラックスゲートセンサである。また、磁気センサ１７、１８は、互いに直交する３方向の磁気を感知する（すなわち、互いに直交する３方向を磁気検出方向とする）３軸磁気センサである。この磁気センサ１７、１８は、磁性体からの距離に応じたレベルの出力信号を出力する。具体的には、磁気センサ１７、１８と磁性体との距離が近くなるにしたがって磁気センサ１７、１８からの出力信号のレベルが高くなる。また、磁気センサ１７と磁気センサ１８とは、同一構造であり、その感度が等しくなるように調整されている。なお、磁気センサ１７、１８は、磁気インピーダンスを利用して磁気データを検出する磁気インピーダンスセンサ（ＭＩセンサ）であっても良い。
【００５９】
磁気センサ１７、１８は、シャッタ部材１４よりも前側に配置されている。具体的には、磁気センサ１７、１８は、前後方向において、シャッタ部材１５と略同じ位置に配置されている。また、磁気センサ１７、１８は、左右方向において、カード２が通過する位置に配置されている。具体的には、磁気センサ１７、１８は、搬送路５の右端側に配置されている。より具体的には、図１２（Ｂ）に示すように、磁気センサ１７、１８は、カード２の短手方向が前後方向と一致するように挿入されたカード２のエンボス加工領域２ｃを避けた位置に配置されている。
【００６０】
また、磁気センサ１７、１８は、挿入口３から挿入されたカード２を上下方向で挟むように配置されている。また、磁気センサ１７、１８は、上下方向から見たときに少なくともその一部が互いに重なるように配置されている。本形態では、上下方向から見たときに磁気センサ１７と磁気センサ１８とが完全に重なるように、磁気センサ１７、１８が配置されている。また、本形態では、磁気センサ１７が搬送路５の上側に配置され、磁気センサ１８が搬送路５の下側に配置されている。磁気センサ１７は、感磁面が下側を向くように配置され、磁気センサ１８は、感磁面が上側を向くように配置されている。
【００６１】
さらに、磁気センサ１７、１８は、その磁気検出方向の１つが上下方向と平行になるように配置されている。また、磁気センサ１７は、上下方向から見たときの残りの２つの磁気検出方向（図１１の矢印Ｄ１、Ｄ２で示す方向）が前後方向に対して傾くように配置されている。同様に、磁気センサ１８は、上下方向から見たときの残りの２つの磁気検出方向が前後方向に対して傾くように配置されている。具体的には、上下方向から見たときに、磁気センサ１７、１８の残りの２つの磁気検出方向は、前後方向および左右方向に対して約４５°傾いている。また、上下方向から見たときに、磁気センサ１７、１８の残りの２つの磁気検出方向は、斜め前方向を向いている。なお、上下方向から見たときの、磁気センサ１７、１８の残りの２つの磁気検出方向の前後方向および左右方向に対する傾きは、４５°以外であっても良い。
【００６２】
また、磁気センサ１７、１８は、図１３に示すように、挿入口３から挿入されたカード２のおもて面および裏面との間に隙間があくように配置されている。具体的には、挿入口３から挿入されたカード２の下面と磁気センサ１７の下面との距離Ｌ１１が、挿入口３から挿入されたカード２の下面と磁気センサ１８の上面との距離Ｌ１２よりも長くなり、かつ、挿入口３から挿入されたカード２の上面と磁気センサ１７の下面との距離Ｌ１３が、挿入口３から挿入されたカード２の上面と磁気センサ１８の上面との距離Ｌ１４よりも短くなるように、磁気センサ１７、１８が配置されている。
【００６３】
そのため、カード２の短手方向が前後方向と一致するように、かつ、カード２の裏面を下側に向けた状態で、カード２が挿入口３から挿入されると、磁気センサ１８から出力される出力信号のレベルが磁気センサ１７から出力される出力信号のレベルよりも高くなる。一方、カード２の短手方向が前後方向と一致するように、かつ、カード２のおもて面を下側に向けた状態で、カード２が挿入口３から挿入されると、磁気センサ１７からの出力信号のレベルが磁気センサ１８からの出力信号のレベルよりも高くなる。したがって、磁気センサ１７からの出力信号のレベルと磁気センサ１８からの出力信号のレベルとを比較することで、カード２が裏面を下側に向けた状態で、挿入口３から挿入されたのか、それとも、カード２がおもて面を下側に向けた状態で、挿入口３から挿入されたのかが検知される。
【００６４】
金属センサ１９は、励磁用コイルと、検出用コイルと、励磁用コイルおよび検出用コイルが巻回されるコアとを備える磁気式のセンサである。この金属センサ１９は、励磁用コイルが発生させる磁界の変化を検出用コイルで検出して金属部材を検知する。金属センサ１９は、シャッタ部材１４よりも前側に配置されている。具体的には、金属センサ１９は、前後方向において、磁気センサ１７、１８よりもわずかに前側に配置されている。また、金属センサ１９は、左右方向において、正しい姿勢で挿入されたカード２の端子部２ｂが通過する位置に配置されている。具体的には、金属センサ１９は、搬送路５の左端側に配置されている。さらに、金属センサ１９は、搬送路５の上側に配置されている。また、金属センサ１９は、感磁面が下側を向くように配置されている。
【００６５】
本形態では、カード２が裏面を下側に向けた状態で、カード２の短手方向における一端２ｄ側から挿入されると、金属センサ１９によってカード２の端子部２ｂが検知される。また、カード２がおもて面を下側に向けた状態で、カード２の短手方向における他端２ｅ側から挿入されても、金属センサ１９によってカード２の端子部２ｂが検知される。そのため、磁気センサ１７、１８での検知結果と金属センサ１９での検知結果に基づいて、カード２の一端２ｄ側からカード２が挿入されたのか、それとも、カード２の他端２ｅ側からカード２が挿入されたのかが検知される。
【００６６】
赤外線センサ２０は、焦電型の赤外線センサであり、焦電効果によって赤外線を含む光を検知する焦電素子を備えている。この赤外線センサ２０は、上述のように、カードリーダ１の前方の人間の動きを検知する。具体的には、赤外線センサ２０は、カードリーダ１の前方の人間の手等の動きを検知する。また、赤外線センサ２０は、カードリーダ１の前方の人間が発生する赤外線に基づいて、カードリーダ１の前方の人間の体温と赤外線センサ２０の検知範囲内における人間の周囲の温度との差等を検知することで、カードリーダ１の前方の人間の動きを検知する。図１に示すように、赤外線センサ２０は、カード挿入部４の前面側に配置されている。
【００６７】
ケース体２１は、透光性を有する樹脂材料で形成されている。具体的には、ケース体２１は、透明な樹脂材料で形成されている。ケース体２１の、シャッタ部材１５の下側部分には、上下方向に貫通する開口部（図示省略）が形成されている。すなわち、ケース体２１の、シャッタ部材１５の下側部分には、カードリーダ１の外部へ通じる開口部が形成されている。この開口部は、たとえば、固定軸８３を中心に回動する軸保持部材８２の回動範囲に形成されており、軸保持部材８２とケース体２１との接触を防止する機能を果たしている。
【００６８】
上述のように、挿入口３からカード２が挿入される前の待機時には、シャッタ部材１４は第１閉鎖位置にあり、搬送路５を閉鎖している。シャッタ駆動機構７０は、磁気センサ１７、１８、金属センサ１９、およびセンサ８５、８９での検知結果に基づいて、シャッタ部材１４を駆動して、シャッタ部材１４を第１開放位置へ移動させる。具体的には、センサ８５での検知結果に基づいて挿入口３からカード２が挿入されたことが検知され、センサ８９での検知結果に基づいてカード２の短手方向が前後方向と一致するようにカード２が挿入口３から挿入されたことが検知されるとともに、磁気センサ１７、１８および金属センサ１９での検知結果に基づいて、端子部２ｂを有し磁気データが記録されたカード２が裏面を下側に向けた状態で、カード２の一端２ｄ側から挿入されたことが検知されると、シャッタ駆動機構７０は、シャッタ部材１４を第１開放位置へ移動させる。すなわち、正規のカード２が正しい姿勢で挿入口３から挿入されたことが検知されると、シャッタ駆動機構７０は、シャッタ部材１４を第１開放位置へ移動させる。
【００６９】
なお、正規のカード２が正しい姿勢で挿入口３から挿入されたことが検知されると、モータ３９が起動して、カード２の一端２ｄが位置決め部材６６の当接部６６ａに突き当たるまで、カード搬送機構６がカード２を奥側へ搬送する。また、その後、モータ５３が起動し、磁気ヘッド７がカード２の磁気ストライプ２ａに当接しながら左右方向へ移動して、磁気データの読取や記録を行う。また、ソレノイド６３が起動し、カード２の端子部２ｂを構成する外部接続端子にＩＣ接点バネ５９を接触させてカード２との間でデータの通信を行う。本形態では、カード２の一端２ｄが当接部６６ａに突き当たると、シャッタ部材１４の奥側にカード２の全体が取り込まれるようになっており、挿入口３から挿入されたカード２がシャッタ部材１４の奥側に完全に取り込まれると、シャッタ部材１４は、第１閉鎖位置に移動して、搬送路５を閉鎖する。
【００７０】
（本形態の主な効果）
以上説明したように、本形態では、挿入口３の奥側にシャッタ部材１４が配置されている。また、本形態では、カード２が挿入される前の待機時に、シャッタ部材１４は第１閉鎖位置にあり、正規のカード２が正しい姿勢で挿入口３から挿入されたことが検知されると、シャッタ駆動機構７０が、シャッタ部材１４を第１開放位置へ移動させる。そのため、本形態では、正規のカード２以外のカードや誤った姿勢で挿入されたカード２がカードリーダ１の本体部３７の中に取り込まれるのを防止したり、いたずら等を防止したりすることが可能になる。
【００７１】
また、本形態では、シャッタ部材１４よりも前側にシャッタ部材１５が配置されている。このシャッタ部材１５は、軸保持部材８２を付勢する付勢部材によって第２閉鎖位置に向かって付勢されており、挿入口３から挿入されたカード２が接触すると、第２開放位置へ移動する。すなわち、本形態では、シャッタ部材１５は、カード２が挿入されていないときに、付勢部材の付勢力で常時、搬送路５を閉鎖している。そのため、本形態では、シャッタ部材１４がカード挿入部４の奥端に配置されて、シャッタ部材１４と挿入口３との距離が長くなっていても、シャッタ部材１４よりも前側に配置されるシャッタ部材１５によって、カード挿入部４の内部へ塵埃や水等が入り込むのを抑制することが可能になる。具体的には、シャッタ部材１５および当接部材８４の奥側に塵埃や水等が入り込むのを抑制することが可能になる。したがって、本形態では、カード挿入部４の内部に塵埃や水等が溜まるのを抑制することが可能になる。
【００７２】
特に本形態では、ケース体２１の、シャッタ部材１５の下側部分に、カードリーダ１の外部へ通じる開口部が形成されているため、シャッタ部材１５によってカード挿入部４の内部への侵入を遮られた塵埃や水等を開口部からカード挿入部４の外部へ排出することが可能になる。したがって、本形態では、カード挿入部４の内部に塵埃や水等が溜まるのを効果的に抑制することが可能になる。
【００７３】
本形態では、シャッタ部材１５は、軸保持部材８２を付勢する付勢部材によって第２閉鎖位置に向かって付勢されており、挿入口３から挿入されたカード２が接触すると、第２開放位置へ移動する。そのため、本形態では、シャッタ部材１５を駆動するための駆動機構を設ける必要がない。したがって、本形態では、カードリーダ１の構成を簡素化することが可能になる。
【００７４】
本形態では、シャッタ部材１５は、左右方向を回転の軸方向として回転可能なローラであり、カード２と接触しているときには、回転している。そのため、本形態では、シャッタ部材１５とカード２とが接触しているときのカード２の搬送抵抗を低減することが可能になる。
【００７５】
本形態では、カード挿入部４は、シャッタ部材１５が第２開放位置へ移動したことを検知するためのセンサ８５を備えており、シャッタ部材１５を回転可能に保持する軸保持部材８２に、センサ８５の発光素子と受光素子との間を遮る遮光部８２ａが形成されている。そのため、本形態では、シャッタ部材１５、軸保持部材８２およびセンサ８５等を用いて、挿入口３からカード２が挿入されたことを検知することができる。
【００７６】
本形態では、シャッタ部材１５は、カード２の長手方向が前後方向と一致するようにカード２が挿入口３から挿入された場合に、左右方向のどの位置でカード２が挿入されても、挿入されたカード２が接触する位置に配置されている。また、本形態では、シャッタ部材１５の左右方向の幅は、カード２の長手方向が前後方向と一致するようにカード２が挿入口３から挿入された場合に、左右方向のどの位置でカード２が挿入されても、挿入されたカード２がシャッタ部材１５に接触するように設定されている。そのため、本形態では、上述のように、カード２の短手方向と前後方向とが一致するようにカード２が挿入口３から挿入された場合だけでなく、カード２の長手方向と前後方向とが一致するようにカード２が挿入口３から挿入された場合であっても、第２閉鎖位置にあるシャッタ部材１５は、第２開放位置へ移動する。したがって、本形態では、カード２の短手方向と前後方向とが一致するようにカード２が挿入口３から挿入された場合だけでなく、カード２の長手方向と前後方向とが一致するようにカード２が挿入口３から挿入された場合であっても、シャッタ部材１５、軸保持部材８２およびセンサ８５等を用いて、挿入口３からカード２が挿入されたことを検知することができる。
【００７７】
本形態では、シャッタ部材１４に、シャッタ部材１４の閉鎖部１４ａの前面から前側へ突出する突出部材８０が取り付けられている。また、本形態では、カード２の短手方向と前後方向とが一致するように挿入口３に挿入されたカード２の奥端が突出部材８０のカード当接面８０ｃに当接しているときに、挿入口３から突出するカード２の前端側をユーザが掴むことが可能なように、前後方向におけるカード当接面８０ｃと挿入口３との距離Ｌ１が設定されている。そのため、本形態では、前後方向における挿入口３とシャッタ部材１４との距離（具体的には、閉鎖部１４ａの前面と挿入口３との距離Ｌ２）を長くしても、閉鎖部１４ａが搬送路５を閉鎖している状態でカード２が挿入口３から無理やり差し込まれたときに、カード当接面８０ｃにカード２を当接させることができ、また、カード当接面８０ｃに当接しているカード２の前端部をユーザは掴むことができる。したがって、本形態では、前後方向における挿入口３とシャッタ部材１４との距離を確保しても、閉鎖部１４ａが搬送路５を閉鎖している状態で無理やり差し込まれたカード２の前端部をユーザは掴むことができる。
【００７８】
（他の実施の形態）
上述した形態は、本発明の好適な形態の一例ではあるが、これに限定されるものではなく本発明の要旨を変更しない範囲において種々変形実施が可能である。
【００７９】
上述した形態では、シャッタ部材１５は、左右方向に分割される３個のローラによって構成されている。この他にもたとえば、シャッタ部材１５は、１個のローラによって構成されても良いし、左右方向に分割される２個のローラによって構成されても良い。また、シャッタ部材１５は、左右方向に分割される４個以上のローラによって構成されても良い。また、上述した形態では、シャッタ部材１５を構成する３個のローラは、左右方向で互いに接触するように軸８１に保持されているが、シャッタ部材１５を構成する３個のローラが左右方向に所定の隙間をあけた状態で軸８１に保持されても良い。この場合には、カード２の長手方向が前後方向と一致するようにカード２が挿入口３から挿入されたときに、左右方向のどの位置でカード２が挿入されても、シャッタ部材１５を構成する３個のローラの少なくとも１個のローラに挿入されたカード２が接触するように、ローラの幅が設定されるとともにローラが所定の位置に配置される。
【００８０】
上述した形態では、シャッタ部材１５は、左右方向を回転の軸方向として回転可能なローラである。この他にもたとえば、シャッタ部材１５は、左右方向を揺動の軸方向として揺動可能なブロック状のガイド部材であっても良い。また、シャッタ部材１５は、軸保持部材８２に固定される、あるいは、軸保持部材８２と一体で形成されるブロック状のガイド部材であっても良い。この場合には、シャッタ部材１５は、たとえば、摺動性に優れる樹脂材料で形成される。
【００８１】
上述した形態では、シャッタ部材１５の上側に当接部材８４が配置されている。この他にもたとえば、当接部材８４に代えて、搬送路５を閉鎖する閉鎖位置と搬送路５を開放する開放位置との間で移動可能でかつバネ等の付勢部材によって下側に付勢されるシャッタ部材がシャッタ部材１５の上側に配置されても良い。この場合には、たとえば、カード挿入部４は、このシャッタ部材が開放位置に移動したことを検知するためのセンサを備えている。ただし、シャッタ部材１５の上側にシャッタ部材が配置される場合と比較して、シャッタ部材１５の上側に当接部材８４が配置されている方がカードリーダ１の構成を簡素化することが可能になる。
【００８２】
上述した形態では、第２開放位置にあるシャッタ部材１５は、搬送路５の下側へ退避している。この他にもたとえば、第２開放位置にあるシャッタ部材１５が搬送路５の上側へ退避しても良い。また、上述した形態では、第１開放位置にあるシャッタ部材１４は、搬送路５の下側へ退避しているが、第１開放位置にあるシャッタ部材１４が搬送路５の上側へ退避しても良い。
【００８３】
上述した形態では、カード搬送機構６は、搬送ローラ３１〜３３およびパッドローラ３４〜３６等によって構成されている。この他にもたとえば、カード搬送機構６は、カード２の上面や下面に当接してカード２を搬送するベルト等によって構成されても良い。また、カード搬送機構６は、カード２を把持する把持機構およびこの把持機構を前後方向へ移動させる移動機構等によって構成されても良い。
【００８４】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、カード２には、ＩＣチップが内蔵されていなくても良い。この場合には、カードリーダ１は、ＩＣ接点ブロック９および金属センサ１９等を備えていなくても良い。また、この場合には、たとえば、磁気センサ１７、１８の検知タイミングとセンサ８５および／またはセンサ８９の検知タイミングとの差に基づいて、カード２の一端２ｄ側からカード２が挿入されたのか、それとも、カード２の他端２ｅ側からカード２が挿入されたのかを検知すれば良い。また、カードリーダ１は、磁気センサ１７、１８を備えていなくても良いし、センサ８５を備えていなくても良い。
【００８５】
上述した形態では、カード２の裏面に磁気ストライプ２ａが形成されている。この他にもたとえば、カード２の裏面に代えて、あるいは、カード２の裏面に加えて、カード２のおもて面に磁気ストライプが形成されても良い。たとえば、ＪＩＳＸ６３０２の規格に準拠した磁気ストライプがカード２のおもて面に形成されても良い。カード２のおもて面のみに磁気ストライプが形成される場合には、搬送路５の上側に磁気ヘッド７が配置される。また、磁気ストライプ２ａに加えて、カード２のおもて面に磁気ストライプが形成される場合には、搬送路５の上側および下側の両方に磁気ヘッド７が配置される。
【符号の説明】
【００８６】
１  カードリーダ
２  カード
３  挿入口
４  カード挿入部
５  搬送路
１４  シャッタ部材（第１シャッタ部材）
１５  シャッタ部材（第２シャッタ部材）
７０  シャッタ駆動機構
８０  突出部材
８０ｃ  カード当接面
８４  当接部材
８５  センサ（シャッタ部材センサ）
Ｌ１  挿入口とカード当接面との距離
Ｕ  カードの長手方向
Ｖ  カードの短手方向
Ｗ１  カードの短手方向の幅
Ｘ  カードの搬送方向
Ｘ１  カードの取込方向
Ｙ  搬送路の幅方向
Ｚ  カードの厚さ方向
【図１】
2014071606.tif 000003
【図２】
2014071606.tif 000004
【図３】
2014071606.tif 000005
【図４】
2014071606.tif 000006
【図５】
2014071606.tif 000007
【図６】
2014071606.tif 000008
【図７】
2014071606.tif 000009
【図８】
2014071606.tif 000010
【図９】
2014071606.tif 000011
【図１０】
2014071606.tif 000012
【図１１】
2014071606.tif 000013
【図１２】
2014071606.tif 000014
【図１３】
2014071606.tif 000015